(57)【特許請求の範囲】
【請求項１】
ズームレンズ鏡筒のズーム動作に連動して駆動されるズームファインダ駆動機構において、
内周面に一または複数のカム溝が形成され、当該カム溝のうち少なくとも一つの底面に当該カム溝に沿って形成されたスリット穴が設けられた固定筒と、
外周に前記固定筒のカム溝と係合するカムフォロアを有し、このカムフォロアが前記固定筒のカム溝に沿って移動することで、撮影光学系の光軸に対して平行な軸に沿って移動しながら、前記平行な軸を中心に回転する回転筒と、
前記固定筒の外周に配置され外周面にカム溝を有するとともに、内周面に突起部を有し、前記回転筒のカムフォロアと前記突起部とが、固定筒の前記スリット穴を通して当接することにより回転力を与えられ回転するファインダカム筒と、
前記ファインダカム筒のカム溝と係合するカムフォロアを有しファインダレンズ群の少なくとも一部を駆動するファインダレンズ駆動部材と、を備え、
前記撮影光学系は収納位置から繰出され撮影位置に駆動された後にズーム動作するものであって、前記カム溝は、前記収納位置から前記撮影位置までの収納領域と、この収納領域と連続して形成されると共に前記スリット穴が形成されるズーム撮影領域により形成され、
前記回転筒のカムフォロアと前記ファインダカム筒は前記収納領域では当接せず、少なくとも前記ズーム撮影領域の範囲内において前記回転筒のカムフォロアと前記ファインダカム筒が当接することを特徴とするズームファインダ駆動機構。
【請求項２】
請求項１記載のズームファインダ駆動機構において、
前記ファインダカム筒は付勢手段により付勢されており、前記ファインダカム筒と前記回転筒のカムフォロアとの当接時には当接が保持されることを特徴とするズームファインダ駆動機構。
【発明の詳細な説明】
【技術分野】
【０００１】
本発明は、ズームレンズ鏡筒のズーム動作に連動して駆動されるズームファインダ駆動機構に関する。
【背景技術】
【０００２】
ズームカメラにおけるファインダ機構のズーム動作は、撮影光学系のズーム動作と連動させて行う必要がある。ズームファインダ機構の駆動方法としては、撮影光学系のズーム動作を行うレンズ鏡筒の回転駆動部材を直接の駆動源とするものや、ズームレンズ鏡筒を駆動するズームモータとその減速ギアを直接の駆動源とするものなどが従来より採用されている。
【０００３】
また、特許文献１のように、沈胴式のレンズ鏡筒で収納時はズームファインダ機構が駆動されず、撮影時のズーム領域の間のみ鏡筒回転部材をギアを介してズームファインダ機構と連結することによってズームファインダ機構を駆動する手法が提案されている。
【特許文献１】ＵＳ２００４００４２０９２公報
【発明の開示】
【発明が解決しようとする課題】
【０００４】
撮影時のズーム領域のみでズームファインダ機構を駆動する構成は、駆動部材の作動ストロークを減らすことができることやズーム領域以外で無用な作動負荷を発生させないという利点がある。しかし、特許文献１のように鏡筒回転部材をギアを介してズームファインダ機構に連結する方式では、ギア等の構成部品が必要で構成が複雑になりそのためのスペースも必要となるため、コスト、大きさの面で不利である。
【０００５】
本発明は、上記課題に鑑み、撮影時のズーム領域のみでズームファインダ機構を駆動する構成にして上記利点を享受するとともに、駆動メカニズムを簡素化したズームファインダ駆動機構を提供することを目的とする。
【課題を解決するための手段】
【０００６】
請求項１に記載のズームファインダ駆動機構の発明は、ズームレンズ鏡筒のズーム動作に連動して駆動されるズームファインダ駆動機構において、内周面に一または複数のカム溝が形成され、当該カム溝のうち少なくとも一つの底面に当該カム溝に沿って形成されたスリット穴が設けられた固定筒と、外周に前記固定筒のカム溝と係合するカムフォロアを有し、このカムフォロアが前記固定筒のカム溝に沿って移動することで、撮影光学系の光軸に対して平行な軸に沿って移動しながら、前記平行な軸を中心に回転する回転筒と、前記固定筒の外周に配置され外周面にカム溝を有するとともに、内周面に突起部を有し、前記回転筒のカムフォロアと前記突起部とが、固定筒の前記スリット穴を通して当接することにより回転力を与えられ回転するファインダカム筒と、前記ファインダカム筒のカム溝と係合するカムフォロアを有しファインダレンズ群の少なくとも一部を駆動するファインダレンズ駆動部材と、を備えることを特徴とする。
【０００７】
さらに請求項１記載のズームファインダ駆動機構において、前記撮影光学系は収納位置から繰出され撮影位置に駆動された後にズーム動作するものであって、前記カム溝は、前記収納位置から前記撮影位置までの収納領域と、この収納領域と連続して形成されると共に前記スリット穴が形成されるズーム撮影領域により形成され、前記回転筒のカムフォロアと前記ファインダカム筒は収納領域では当接せず、少なくとも前記ズーム撮影領域の範囲内において前記回転筒のカムフォロアと前記ファインダカム筒が当接することを特徴とする。
【０００８】
請求項２に記載のズームファインダ駆動機構の発明は、請求項１記載のズームファインダ駆動機構において、前記ファインダカム筒は付勢手段により付勢されており、前記ファインダカム筒と前記回転筒のカムフォロアとの当接時には当接が保持されることを特徴とする。
【発明の効果】
【０００９】
請求項１に記載の発明によれば、回転筒のカムフォロアピンによってファインダカム筒を駆動し、ファインダカム筒によってファインダレンズ駆動部材を駆動するため、複雑な連結機構が不要で構成の簡素化が図れコストダウンになる。
【００１０】
さらに請求項１に記載の発明によれば、必要なズーム領域のみでファインダレンズ駆動部材を駆動することができるため、ファインダカム筒の作動ストロークを減らすことができるとともにズーム領域以外で無用な作動負荷を発生させない。
【００１１】
請求項２に記載の発明によれば、回転筒のカムフォロアピンとファインダカム筒とを確実に当接させることができ、ファインダカム筒の駆動を安定化させることができる。
【発明を実施するための最良の形態】
【００１２】
図１ないし図２９について本実施形態のレンズ鏡筒とファインダ駆動機構の全体構成を説明する。この実施形態はデジタルカメラ用のズームレンズ鏡筒に本発明を適用したものである。
【００１３】
図１に広角側の撮影位置におけるレンズ鏡筒２の断面図を示す。撮影光学系は被写体側から順に第１レンズ群３１、第２レンズ群３２、第３レンズ群３３、ローパスフィルタ３４、ＣＣＤ（撮像デバイス）３５からなっている。撮影光学系の光軸はＪ１である。撮影光軸Ｊ１はレンズ鏡筒の中心軸Ｊ２と平行であり、中心軸Ｊ２とは偏心している。ズーミングは第１レンズ群３１と第２レンズ群３２を撮影光軸Ｊ１方向にそれぞれ移動させることにより行い、フォーカシングは第３レンズ群３３を撮影光軸Ｊ１方向に移動させることによって行う。被写体側から第１レンズ群３１、第２レンズ群３２、第３レンズ群３３を通った光束はローパスフィルタ３４を通ってＣＣＤ３５に導かれる。なお、以下の説明中で「光軸方向」という記載は、特に断りがなければ撮影光軸Ｊ１と平行の方向を意味するものとする。
【００１４】
固定筒６１はボディ本体１に固定されており、固定筒６１の後方にはＣＣＤホルダ２１が固定筒６１の開口を覆うように固定されている。ＣＣＤホルダ２１にはＣＣＤ３５前方の開口部２１ａにローパスフィルタ３４が接着支持されている。また、ＣＣＤ３５は放熱板２２と一体支持されておりＣＣＤ３５はその放熱板２２を介してＣＣＤホルダ２１に固定されている。放熱板２２後方にはＣＣＤ３５で生成した電気信号を転送するためのＣＣＤ用フレキシブルプリント基板２３が配置される。
【００１５】
フォーカシングを行う第３レンズ群３３と第３レンズ群を駆動するフォーカス駆動機構３はＣＣＤホルダ２１に対して組込まれている。図２にフォーカス駆動機構３の断面図を示す。第３レンズ群３３を支持する第３レンズ枠４１はＣＣＤホルダ２１に設けられた一対のガイド軸Ａ４２とガイド軸Ｂ４３によって光軸方向に摺動可能に支持されている。ガイド軸Ａ４２は第３レンズ枠４１のメインのガイド軸でガイド軸Ｂ４３は第３レンズ枠４１の回転規制用であり、第３レンズ枠４１に形成したガイド穴４１ａと４１ｂと摺動可能に嵌っている。
フォーカスモータ４４は固定筒６１の内部で第３レンズ群３３とＣＣＤ３５の側方に配置されＣＣＤホルダ２１に対して固定されている。フォーカスモータ４４の回転駆動力は、フォーカスモータギア４５からフォーカスギア４６、４７を介して送りねじ４８に伝達され、送りねじ４８とナット４９の蝶合関係により第３レンズ枠４１が光軸方向に進退される。フォーカスモータ４４の回転駆動力はフォーカスギア４６、４７によって減速されるため、送りねじ４８は十分な回転トルクを得ることができる。第３レンズ枠４１は第３レンズ枠ばね５０によって光軸方向に付勢されている。フォーカスモータ４４はＣＣＤホルダ２１後方に配設したレンズ駆動用フレキシブルプリント基板５１を介してカメラの制御回路により制御される。
【００１６】
図３に撮影位置におけるレンズ鏡筒２の正面透視図を示す。固定筒６１の上部にはズームモータ８１と減速ギア列８２が配置されている。ズームモータ８１の駆動力は減速ギア列８２を介してズームギア８３に伝達される。ズームギア８３は光軸方向と平行なギア軸８４によって固定筒６１に対し回転可能に支持されている。ズームモータ８１、減速ギア８２、ズームギア８３が、レンズ鏡筒２の繰出し機構における駆動機構部である。ズームモータ８１はＣＣＤホルダ２１後方に配設したレンズ駆動用フレキシブルプリント基板５１を介してカメラの制御回路により制御される。
【００１７】
図４に固定筒６１の外周面側から見た展開図を示す。固定筒６１の内周には回転筒６２をガイドする３本のカム溝６１ａと規制筒６３をガイドする３本のカム溝６１ｂが形成されている。規制筒６３のカム溝６１ａは回転筒６２のカム溝６１ｂより深く形成されている。両カム溝６１ａ、６１ｂは同じカム軌跡を共有する領域６１ｃを有しており、この領域６１ｃでは図５に示すように２段形状のカム溝になっている。
【００１８】
図６に回転筒６２の外周面側から見た展開図を示す。回転筒６２は固定筒６１の内周側に位置し、回転筒６２に設けられた穴部６２ａには３つの回転筒カムフォロアピン６４が挿入されており固定筒６１のカム溝６１ａと係合する。また、回転筒６２の外周には、挿入された３つの回転筒カムフォロアピン６４の近傍位置に固定筒６１のカム溝６１ａとほぼ係合する形状を有する突起部６２ｂが形成されている。この突起部６２ｂの機能は後述する。回転筒６２の外周部にはズームギア８３と噛みあうギア部６２ｃが設けられており、ズームモータ８１、減速ギア８２、ズームギア８３からなる駆動機構の回転駆動力が伝達される。ズームギア８３の回転によって回転筒６２が中心軸Ｊ２まわりに回転すると回転筒６２は固定筒６１のカム溝６１ａに沿って繰出し繰込みされる。
【００１９】
図７に規制筒６３の外周面側から見た展開図を示す。規制筒６３は回転筒６２の内周側に位置し、規制筒６３の外周に設けられた爪部６３ａが回転筒６２の内周に設けられた溝部６２ｄと係合し、回転筒６２に対して相対的に光軸方向への動きは規制されるが互いに回転可能に支持されている。規制筒６３の外周には３つのカムフォロア６３ｂが形成されて固定筒６１のカム溝６１ｂと係合する。規制筒６３のカムフォロア６３ｂは断面形状が図８に示すように平行四辺形になっており、固定筒６１のカム溝６１ｂの直線領域６１ｄ、６１ｅと係合する際にはカムフォロア６３ｂの平面６３ｃが係合し、固定筒６１のカム溝６１ｂの斜面領域６１ｃと係合する際にはカムフォロア６３ｂの平面６３ｄが係合する。
【００２０】
図９にカム筒６５の外周面側から見た展開図を示す。カム筒６５は規制筒の内周側に位置し、外周に３つのカムフォロア６５ａが形成されている。カムフォロア６５ａは規制筒６３の内周に設けられたカム溝６３ｅと係合し、カム筒６５は規制筒６３との相対回転によって、規制筒６３のカム溝６３ｅによって繰出し繰込み動作を行う。また、カム筒６５に設けられた穴部６５ｂには３つのカム筒ガイド軸６６が挿入されており、このカム筒ガイド軸６６は規制筒６３の穴部６３ｆを貫通して回転筒６２内周部の光軸方向に設けられた直進溝６２ｅと係合している。これにより、カム筒６５と回転筒６２は相対回転が不能であるが光軸方向には相対的に動くことができる。
【００２１】
すなわち、回転筒６２と規制筒６３とが相対回転をすれば、カム筒６５が規制筒６３のカム溝６３ｅに沿って繰出し繰込みされる構成となる。
【００２２】
図１０に直進筒６７の外周面側から見た展開図を示す。直進筒６７はカム筒６５の内側に位置し、カム筒６５の内周面に設けられた爪部６５ｃが直進筒６７の外周に設けられた突起部６７ａ、６７ｂに挟み込まれることにより、相対的に光軸方向への動きは規制されるが互いに回転可能に支持されている。直進筒６７の外周面側に設けられたガイド爪部６７ｃは規制筒６３の内周部の光軸方向に設けられた直進溝６３ｇと係合する。これにより、直進筒６７と規制筒６３は相対回転が不能であるが光軸方向には相対的に動くことができる。
【００２３】
図１１に第１レンズ枠６８の外周面側から見た展開図を示す。第１レンズ枠６８はカム筒６５の内側に位置し、第１レンズ群３１を支持している。第１レンズ枠６８に設けられた穴部６８ａには３つの第１レンズ枠カムフォロアピン６９が挿入されており、第１レンズ枠カムフォロアピンの外周側のカムフォロア部６９ａはカム筒６５の内周に設けられたカム溝６５ｄと係合する。また、第１レンズ枠カムフォロアピン６９の内周側のガイド部６９ｂは直進筒６７の光軸方向に設けられた直進ガイド穴６７ｄと係合する。これにより、第１レンズ枠６８は、カム筒６５と直進筒６７との相対回転さらにはカム筒６５と規制筒６３との相対回転によって、直進筒６７および規制筒６３に対して相対回転することなく光軸方向にカム筒６５のカム溝６５ｄに沿って繰出し繰込みされる構成となる。
【００２４】
図１２に第２レンズ枠７０の外周面側から見た展開図を示す。第２レンズ枠７０は直進筒６７の内側に位置し、第２レンズ群３２を支持している。第２レンズ群７０の外周面には３つのカムフォロア７０ａが形成されており、カムフォロア７０ａはカム筒６５の内周に設けられたカム溝６５ｅと係合する。また、第２レンズ枠７０のカムフォロア７０ａの根元部７０ｂは直進筒６７の光軸方向に設けられた直進ガイド穴６７ｅと係合する。これにより、第２レンズ枠７０は、カム筒６５と直進筒６７との相対回転さらにはカム筒６５と規制筒６３との相対回転によって、直進筒６７および規制筒６３に対して相対回転することなく光軸方向にカム筒６５のカム溝６５ｅに沿って繰出し繰込みされる構成となる。
【００２５】
第２レンズ枠７０には被写体側からの入射光を遮るためのシャッタユニット７１が取り付けられる。シャッタユニット７１に設けられたアクチュエータ７１ａをカメラの制御回路と接続するためのシャッタ用フレキシブルプリント基板７２が、シャッタユニット７１からレンズ鏡筒２の内部を通ってＣＣＤホルダ２１後方に配設したレンズ駆動用フレキシブルプリント基板５１に接続される。
【００２６】
第２レンズ枠７０と第１レンズ枠６８の間には群間付勢ばね７３が設けられ、第２レンズ群７０と第１レンズ群６８を光軸方向に沿って互いに引き離す方向に付勢している。
これによって、第１レンズ枠６８とカム筒６５のカム係合部のがたと第２レンズ枠７０とカム筒６５のカム係合部のがたをなくすことができ、光学性能の安定化を図ることができる。
【００２７】
ここで、レンズ鏡筒２の収納位置から撮影位置への繰出し動作について説明する。
【００２８】
図１３に収納位置におけるレンズ鏡筒２の断面図を示す。また、図１４に収納位置におけるレンズ鏡筒２の正面透視図を示す。第１レンズ群３１と第２レンズ群３２の中心軸はＪ３であり、第３レンズ群３３とローパスフィルタ３４とＣＣＤ３５の側方、かつフォーカス駆動機構３の側方で撮影光軸Ｊ1から離れた位置に収納されている。つまり、第１レンズ群３１と第２レンズ群３２、第３レンズ群３３とローパスフィルタ３４とＣＣＤ３５、フォーカス駆動機構３の３つのブロックは光軸に垂直な略同一の平面上に収納されている。
【００２９】
第１レンズ群３１と第２レンズ群３２はレンズ鏡筒２の中心軸Ｊ２を中心に回転しながら光軸方向に繰出され図１に示す撮影位置の状態になる。レンズ鏡筒２の正面から見ると、図１５に示す収納位置の状態から第１レンズ群３１と第２レンズ群３２とがＺ１方向に回転しながら繰出され図１６に示す撮影位置の状態になる。撮影位置では第１レンズ群３１と第２レンズ群３２の中心軸Ｊ３と撮影光軸Ｊ１とが一致するため、レンズ鏡筒２の中心軸Ｊ２と撮影光軸Ｊ１の偏心距離と、レンズ鏡筒２の中心軸Ｊ２と第１レンズ群３１、第２レンズ群３１の中心軸Ｊ３の偏心距離とは等しい。
【００３０】
レンズ鏡筒２の収納位置においては、回転筒６２に挿入された回転筒カムフォロアピン６４は固定筒６１のカム溝の６１（１）位置に、規制筒６３のカムフォロア６３ｂはは固定筒６１のカム溝の６１（１１）位置にある。また、カム筒６５のカムフォロア６５ａは規制筒６３のカム溝の６３（１）位置にあり、第１レンズ枠６８に挿入された第１レンズ枠カムフォロアピン６９はカム筒６５のカム溝の６５（１）位置に、第２レンズ枠７０のカムフォロア７０ａはカム筒６５のカム溝の６５（１１）の位置にある。（図１７、図１８、図１９）
ズームギア８３の回転により回転筒６２が中心軸Ｊ２の回りに回転すると、回転筒カムフォロアピン６４は固定筒６１のカム溝６１（１）位置から６１（２）位置方向に動き光軸方向に繰出されていく。一方規制筒６３は回転筒６２に対して相対的に光軸方向への動きは規制されかつ固定筒６１のカム溝６１ｂによってガイドされているため、固定筒６１のカム溝６１（１１）位置から６１（１２）位置に沿って光軸方向に直進繰出しされる。規制筒６３が固定筒６１のカム溝６１（１１）位置から６１（１２）位置まで動く間は、回転筒６２と規制筒６３との間に相対回転が生じるため、カム筒６５のカムフォロア６５ａは規制筒６３のカム溝６３（１）位置から６３（２）位置方向へ、これと同時にカム筒６５と規制筒６３との間に相対回転が生じるため、第１レンズ枠カムフォロアピン６９はカム筒６５のカム溝６５（１）位置から６５（２）位置方向へ、第２レンズ枠７０のカムフォロア７０ａはカム筒６５のカム溝６５（１１）位置から６５（１２）位置方向へと動く。
【００３１】
回転筒カムフォロアピン６４が固定筒６１のカム溝６１（２）位置に達した時には、規制筒６３のカムフォロア６３ｂは固定筒６１のカム溝６１（１２）位置に、カム筒６５のカムフォロア６５ａは規制筒６３のカム溝６３（２）位置に、第１レンズ群カムフォロアピン６９はカム筒６５のカム溝６５（２）位置に、第２レンズ群７０のカムフォロア７０ａはカム筒６５のカム溝６５（１２）位置にそれぞれ駆動される。
【００３２】
この動きにより、規制筒６３は光軸方向に直進繰出しされ、さらにカム筒６５、第１レンズ枠６８と第２レンズ枠７０も光軸方向に直進繰出しされるので、第１レンズ群３１と第２レンズ群３２とは光軸方向の被写体側に直進繰出しされることになる。
【００３３】
これによって、その後に第１レンズ群３１と第２レンズ群とが回転運動を始める前に、第１レンズ群３１と第２レンズ群３２をその側方にある第３レンズ群３３、ローパスフィルタ３４、ＣＣＤ３５及びフォーカス駆動機構３と干渉しない位置まで直進繰出しすることができる。
【００３４】
回転筒カムフォロアピン６４が固定筒６１のカム溝の６１（２）位置からさらに回転を続け６１（３）位置まで回転筒６２を繰出していくと、規制筒６３のカムフォロア６３ｂは固定筒６１のカム溝の６１（１３）位置に達する。この動作中は、回転筒６２の角度あたりの繰出し量と規制筒６３の角度あたりの繰出し量とが同じになるように固定筒６１のカム溝６１ａ、６１ｂが形成されているため、回転筒６２の規制筒６３の相対回転は発生しない。
【００３５】
このため、回転筒６２、規制筒６３、カム筒６５、直進筒６７、第１レンズ枠６８、第２レンズ枠７０は一体となって中心軸Ｊ２まわりに回転しながら繰出されていく。
【００３６】
この動作の途中で回転筒カムフォロアピン６４が固定筒６１のカム溝の６１（１３）位置を通過する時、固定筒６１のカム溝６１ｂがカム溝６１ａより深く形成されているため、回転筒カムフォロアピン６４は固定筒６１のカム溝６１ａの６１（１４）位置側で係合がなくなるが、回転筒６２に設けられた突起部６２ｂが固定筒６１のカム溝６１ａとほぼ係合しているためスムーズに負荷変動なく繰出されていく。すなわち、回転筒カムフォロアピン６４は固定筒６１のカム溝６１ａに対して主のガイド部であるが、回転筒カムフォロアピン６４が固定筒６１のカム溝の６１（１３）位置を通過する時に限り、従のガイド部である回転筒６２に設けられた突起部６２ｂがガイド機能を果たす。上記の「ほぼ係合」とは、従のガイド部である回転筒６２に設けられた突起部６２ｂの係合が、主のガイド部である回転筒カムフォロアピン６４の係合に対して過拘束になる等のガイド機能を阻害することがない程度に係合している状態のことを示す。
【００３７】
回転筒カムフォロアピン６４が固定筒６１のカム溝の６１（３）位置に、かつ規制筒６３のカムフォロア６３ｂが固定筒６１のカム溝の６１（１３）位置に達したときに、撮影光軸Ｊ１と第１レンズ群３１と第２レンズ群３２の中心軸Ｊ３が一致する。
【００３８】
回転筒カムフォロアピン６４が固定筒６１のカム溝の６１（３）位置からさらに回転を続け６１（４）位置まで回転筒６２を繰出していくと、規制筒６３のカムフォロア６３ｂは固定筒６１のカム溝の６１（１３）位置から６１（１４）位置まで光軸方向に直進繰出しされる。この時の動きは回転筒カムフォロアピン６４が固定筒６１のカム溝の６１（１）位置から６１（２）位置に駆動されるときと同様の関係になる。すなわち、回転筒６２と規制筒６３との間に相対回転が生じカム筒６５のカムフォロア６５ａは規制筒６３のカム溝の６３（２）位置から６３（４）位置に駆動され、カム筒６５と規制筒６３との相対回転が生じ第１レンズ枠カムフォロアピン６９はカム筒６５のカム溝の６５（２）位置から６５（４）位置に、第２レンズ枠７０のカムフォロア７０ａはカム筒６５のカム溝の６５（１２）位置から６５（１４）位置に駆動される。この位置がレンズ鏡筒２の広角側の撮影位置であり、図１の断面図に相当する位置である。
【００３９】
次に広角側の撮影位置から望遠側の撮影位置までのズーミング動作について説明する。
【００４０】
ズームギア８３の回転により回転筒６２が回転し、回転筒カムフォロアピン６４は固定筒６１のカム溝の６１（４）位置（広角側の撮影位置に相当する位置）から６１（５）位置（望遠側の撮影位置に相当する位置）まで駆動される。この範囲の固定筒６１のカム溝は光軸方向に対して垂直方向に形成されているため、回転筒６２は光軸方向に繰出されることなく回転軸Ｊ２まわりに回転し、規制筒６３は停止したままとなる。この動作中は回転筒６２と規制筒６３との間で相対回転が生じるのでカム筒６５のカムフォロア６５ａは規制筒６３のカム溝の６３（４）位置から６３（５）位置まで駆動され、カム筒６５と規制筒６３との間で相対回転が生じるので第１レンズ枠カムフォロアピン６９はカム筒６５のカム溝の６５（４）位置から６５（５）位置まで、第２レンズ枠７０のカムフォロア７０ａはカム筒６５のカム溝の６５（１４）位置から６５（１５）位置までそれぞれのカム溝にガイドされて駆動される。規制筒６３は停止しているので、第１レンズ群３１を支持している第１レンズ枠６８と第２レンズ群７０を支持している第２レンズ群７０は中心軸Ｊ２まわりに回転することなく光軸方向にそれぞれ進退する。カム筒６５と規制筒６３のそれぞれのカム溝は、広角側から望遠側までの間で焦点距離が順次可変になるような形状で形成されている。図２０は望遠側の撮影位置におけるレンズ鏡筒２の断面図である。
【００４１】
望遠側の撮影位置から広角側の撮影位置方向への駆動は、ズームギア８３を逆方向に回転させれば良いため、ズームギア８３を駆動するズームモータ８１の制御により任意の焦点距離を得ることができる。また、広角側の撮影位置から収納位置までの駆動についても、ズームギア８３を逆方向に回転させれば上記説明の反対方向の動作を行うので図１３に示す収納状態へと導くことができる。
【００４２】
図２１に回転筒６２の回転角度とレンズ鏡筒２の各移動部材の光軸方向移動距離との関係図を示す。横軸は回転筒６２の回転角度であり、縦軸は回転筒６２、規制筒６３、カム筒６５、第２レンズ枠７０、第１レンズ枠６８の光軸方向への絶対的な移動距離である。各移動部材の移動時の通過ポイントに対応するカム溝の位置（図１７、図１８、図１９）を図２１中に示す。図２１によりレンズ鏡筒２の各移動部材の光軸方向移動の関係を理解することができる。
【００４３】
ズームレンズ鏡筒２は撮影レンズ群のズーミング動作に連動するズームファインダユニット４を備えている。図２２に広角側の観察位置におけるファインダ対物側の断面図を、図２３にファインダ接眼側の断面図を示す。ズームファインダユニット４の光学系は、対物レンズ１０１、第１可動レンズ１０２、第２可動レンズ１０３、ミラー１０４、プリズム１０５、接眼レンズ１０６からなる。対物側に位置する対物レンズ１０１、第１可動レンズ１０２と第２可動レンズ１０３のファインダ光軸をＪ４とする。対物側ファインダ光軸Ｊ４は撮影光軸Ｊ１と平行である。
【００４４】
対物レンズ１０１とプリズム１０５はファインダ枠Ａ１１１に固定され、ミラー１０４と接眼レンズ１０６はファインダ枠Ｂ１１２に固定されている。第１可動レンズ１０２はファインダ枠Ａ１１１に固定された第１可動レンズガイド軸１１３によって摺動可能に支持されており、対物側ファインダ光軸Ｊ４方向に移動可能である。第２可動レンズ１０３はファインダ枠Ａ１１１に固定された第２可動レンズガイド軸１１４によって摺動可能に支持されており、対物側ファインダ光軸Ｊ４方向に移動可能である。第１可動レンズ１０２と第２可動レンズ１０３はそれぞれカムフォロア部１０２ａ、１０３ａを有しており、これらのカムフォロア部１０２ａ、１０３ａがレンズ鏡筒２からの駆動力を受けることにより第１可動レンズ１０２と第２可動レンズ１０３を所望の軌跡で光軸方向に移動する。また、第１可動レンズ１０２と第２可動レンズ１０３はカムフォロア部１０２ａ、１０３ａのがたをなくすために第１可動レンズばね１１５と第２可動レンズばね１１６によって、光軸方向に付勢されている。以上のズームファインダユニットは図２４に示すように固定筒６１に取り付けられる。
【００４５】
ズームファインダユニット４の第１可動レンズ１０２と第２可動レンズ１０３を駆動するための円弧状のファインダカム筒１２１は固定筒６１の外周に設けられる。図２５にファインダカム筒１２１の外周面側から見た展開図を示す。ファインダカム筒１２１はレンズ鏡筒の中心軸Ｊ２まわりに回転可能に支持されており、外周面に２本のカム溝１２１ａ、１２１ｂを有し、カム溝１２１ａは第１可動レンズ１０２のカムフォロア部１０２ａと係合し、カム溝１２１ｂは第２可動レンズ１０３のカムフォロア部１０３ａと係合する。
【００４６】
ファインダカム筒１２１は、内周面に突起部１２１ｃを有す。一方、固定筒６１の回転筒カムフォロアピン６４と係合するカム溝６１ａのうちの１本は、カム溝の６１（４）位置から６１（５）位置までの間でカム溝の底面が貫通穴になっている。図２６に当該部分の固定筒６１の外周面側から見た部分展開図を示す。図２７はカム溝底面の貫通穴６１ｆ部の円周方向のＡ−Ａ断面図である。ファインダカム筒１２１の突起部１２１ｃは固定筒６１の貫通穴６１ｆに挿入され、円周方向のガイドになっている。
【００４７】
ファインダカム筒１２１はファインダカム筒ばね１２２によって図２４の時計方向に付勢されており、ファインダカム筒１２１の突起部１２１ｃが固定筒６１の貫通穴６１ｆの端面６１ｇと当接することにより停止している。この状態がズームファインダユニット４の広角側の観察位置であり、第１可動レンズ１０２のカムフォロア部１０２ａはファインダカム筒１２１のカム溝の１２１（４）位置に、第２可動レンズ１０３のカムフォロア部１０３ａはファインダカム筒１２１のカム溝の１２１（１４）位置にある。
【００４８】
ここで、ズームファインダユニット４のズーム動作を説明する。レンズ鏡筒２の収納位置から広角側の撮影位置までの動きはすでに説明したが、その間はズームファインダユニット４は駆動されない。つまりファインダユニット４は図２２、図２７に示す広角側の観察位置に保持されている。レンズ鏡筒２が広角側の撮影位置になり、回転筒６２に挿入された回転筒カムフォロアピン６４が固定筒６１のカム溝の６１（４）位置に達したとき、固定筒６１の貫通穴６１ｆの設けられたカム溝に対応する回転筒カムフォロアピン６４は、ファインダカム筒１２１の突起部１２１ｃの先端部１２１ｄと当接する。レンズ鏡筒２が広角側の撮影位置から望遠側の撮影位置方向に駆動されると、回転筒カムフォロアピン６４は固定筒６１のカム溝６１（４）位置から６１（５）位置方向に動き、回転筒カムフォロアピン６４はファインダカム筒１２１の突起先端部１２１ｄを押してファインダカム筒１２１を回転駆動させる。回転筒カムフォロアピン６４がファインダカム筒１２１を駆動する状態のＡ−Ａ断面図を図２８に示す。ファインダカム筒１２１の回転により、第１可動レンズ１０２のカムフォロア部１０２ａはファインダカム筒１２１のカム溝の１２１（４）位置から１２１（５）位置まで、第２可動レンズ１０３のカムフォロア部１０３ａはファインダカム筒１２１のカム溝の１２１（１４）位置から１２１（１５）位置までそれぞれのカム溝にガイドされて駆動される。ファインダカム筒１２１の２本のカム溝は、レンズ鏡筒２の撮影レンズの焦点距離に対応して広角側から望遠側までの間で焦点距離が順次可変になるような形状で形成されている。図２９に望遠側の観察位置におけるファインダ対物側の断面図を示す。
【００４９】
ファインダカム筒ばね１２２の付勢力によってファインダカム筒１２１の突起部先端１２１ｄと回転筒カムフォロアピン６４との係合が保たれるため、望遠側の観察位置から広角側の観察位置方向への移動時でも、レンズ鏡筒２の撮影レンズの焦点距離に対応したズームファインダユニット４の焦点距離を得ることができる。
【００５０】
上記の構成により、レンズ鏡筒２の収納位置では回転筒カムフォロアピン６４がファインダカム筒１２１の突起先端部１２１ｄと当接しないため第１可動レンズ１０２と第２可動レンズ１０３とは駆動されず、レンズ鏡筒２のズーム領域において回転筒カムフォロアピン６４がファインダカム筒１２１の突起先端部１２１ｄと当接して第１可動レンズ１０２と第２可動レンズ１０３とが駆動される構成を実現することができる。これによって、収納位置から撮影位置までの間はファインダレンズの駆動に要する負荷をかけることがなくなり、ファインダカム筒１２１の回転ストロークも小さくすることができるため、設計の自由度が大きくなる。特に、本実施形態のように収納位置から撮影位置までの回転筒６２の回転角度が大きいレンズ鏡筒２については有用である。
【００５１】
また、回転筒６２を固定筒６１に対してガイドしている回転筒カムフォロアピン６４を駆動源としてファインダカム筒１２１を回転させ第１可動レンズ１０２と第２可動レンズ１０３を駆動しているため、ズームファインダ駆動機構を簡素化することができ、低コスト、小型化を図ることができる。
【００５２】
この構成で、ファインダカム筒１２１の突起先端部１２１ｄと当接する部分を回転筒カムフォロアピン６４とは別の回転筒６２に設けた突起部で行う手法も考えられるが、固定筒６１の内面に当該突起部が干渉しないような溝を設ける必要があり、固定筒６１の強度確保やカム溝６１ａ、６１ｂと交差を避ける溝配置の点を考慮するとこの手法は好ましくなく、上記のように回転筒カムフォロアピン６４がファインダカム筒１２１の突起先端部１２１ｄと当接する構成が望ましい。
【００５３】
以上本発明の実施形態について説明してきたが、本発明は上記実施形態に限定されるものではなく、様々な変形が可能である。
【００５４】
例えば、本実施形態ではファインダカム筒１２１を円弧状の扇型にしているが、固定筒６１の外周面の全周を覆うような円筒の形状にしてファインダカム筒の回転動作を安定化させても良い。
【００５５】
また、回転筒カムフォロアピン６４とファインダカム筒１２１の突起先端部１２１ｄとの当接は、レンズ鏡筒２が収納位置から広角側の撮影位置までの間に開始されてもよく、少なくともズーム領域で当接が保たれれば良い。
【００５６】
また、本実施形態ではファインダカム筒１２１のカム溝と係合するカムフロアが可動レンズに直接形成されており、可動レンズ自体がファインダレンズ駆動部材となっているが、可動レンズの保持部品にカムフォロアを形成してファインダレンズ駆動部材としても良い。
【００５７】
また、ファインダカム筒１２１によって駆動されるファインダユニット４のレンズは１つでも３つ以上であっても良い。
【産業上の利用可能性】
【００５８】
撮影時のズーム領域のみで作動するズームファインダ駆動機構を簡素化することにより低コスト、小型化が図れるので、カメラ分野で利用価値が高い。
【図面の簡単な説明】
【００５９】
【図１】広角側の撮影位置におけるレンズ鏡筒の断面図である。
【図２】レンズ鏡筒のフォーカス駆動機構の断面図である。
【図３】撮影位置におけるレンズ鏡筒の正面透視図である。
【図４】固定筒の外周面側から見た展開図である。
【図５】固定筒のカム溝部の断面図である。
【図６】回転筒の外周面側から見た展開図である。
【図７】規制筒の外周面側から見た展開図である。
【図８】規制筒カムフォロア部の断面図である。
【図９】カム筒の外周面側から見た展開図である。
【図１０】直進筒の外周面側から見た展開図である。
【図１１】第１レンズ枠の外周面側から見た展開図である。
【図１２】第２レンズ枠の外周面側から見た展開図である。
【図１３】収納位置におけるレンズ鏡筒の断面図である。
【図１４】収納位置におけるレンズ鏡筒の正面透視図である。
【図１５】収納位置におけるレンズ鏡筒の正面図である。
【図１６】撮影位置におけるレンズ鏡筒の正面図である。
【図１７】固定筒のカム溝位置の指示図である。
【図１８】規制筒のカム溝位置の指示図である。
【図１９】カム筒のカム溝位置の指示図である。
【図２０】望遠側の撮影位置におけるレンズ鏡筒の断面図である。
【図２１】回転筒回転角度と各移動部材の光軸方向移動距離との関係図である。
【図２２】広角側の観察位置におけるファインダ対物側の断面図である。
【図２３】ファインダ接眼側の断面図である。
【図２４】ズームファインダユニットの正面図である。
【図２５】ファインダカム筒の外周面側から見た展開図である。
【図２６】固定筒の外周面側から見た部分展開図である。
【図２７】収納位置における図２６のＡ−Ａ断面図である。
【図２８】撮影位置における図２６のＡ−Ａ断面図である。
【図２９】望遠側の観察位置におけるファインダ対物側の断面図である。
【符号の説明】
【００６０】
１  ボディ本体
２  レンズ鏡筒
３  フォーカス駆動機構
２１  ＣＣＤホルダ
３１  第１レンズ群
３２  第２レンズ群
３３  第３レンズ群
３４  ローパスフィルタ
３５  ＣＣＤ
４１  第３レンズ群
４４  フォーカスモータ
６１  固定筒
６２  回転筒
６３  規制筒
６４  回転筒カムフォロアピン
６５  カム筒
６６  カム筒ガイド軸
６７  直進筒
６８  第１レンズ枠
６９  第１レンズ枠カムフォロアピン
７０  第２レンズ枠
７１  シャッタ
８１  ズームモータ
８３  ズームギア
１０１  対物レンズ
１０２  第１可動レンズ
１０３  第２可動レンズ
１０４  ミラー
１０５  プリズム
１０６  接眼レンズ
１１１  ファインダ枠Ａ
１１２  ファインダ枠Ｂ
１２１  ファインダカム筒
【図１】
0004630000.tif 000002
【図２】
0004630000.tif 000003
【図３】
0004630000.tif 000004
【図４】
0004630000.tif 000005
【図５】
0004630000.tif 000006
【図６】
0004630000.tif 000007
【図７】
0004630000.tif 000008
【図８】
0004630000.tif 000009
【図９】
0004630000.tif 000010
【図１０】
0004630000.tif 000011
【図１１】
0004630000.tif 000012
【図１２】
0004630000.tif 000013
【図１３】
0004630000.tif 000014
【図１４】
0004630000.tif 000015
【図１５】
0004630000.tif 000016
【図１６】
0004630000.tif 000017
【図１７】
0004630000.tif 000018
【図１８】
0004630000.tif 000019
【図１９】
0004630000.tif 000020
【図２０】
0004630000.tif 000021
【図２１】
0004630000.tif 000022
【図２２】
0004630000.tif 000023
【図２３】
0004630000.tif 000024
【図２４】
0004630000.tif 000025
【図２５】
0004630000.tif 000026
【図２６】
0004630000.tif 000027
【図２７】
0004630000.tif 000028
【図２８】
0004630000.tif 000029
【図２９】
0004630000.tif 000030